【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
感光層と前記感光層より上に積層された光透過性の表層と、を備え、回転可能な感光体と、
前記感光体の表面の移動方向と略直交する主走査方向にレーザ光を走査して前記感光体の前記表面を露光し、前記感光体の前記表面上に潜像を形成する露光ユニットと、
画像データに基づいて前記露光ユニットの前記レーザ光の照射、非照射を切り替える画像信号のパルス幅を制御する制御部と、
を有し、
前記露光ユニットは、前記レーザ光を前記主走査方向に非一定の走査速度で、かつ前記感光体の回転軸と前記レーザ光とがなす非一定の入射角度で走査することにより、前記感光体の前記表面を露光し、
前記制御部は、前記パルス幅が、前記主走査方向における前記感光体の中央部に対し端部に近づくほど小さく、かつ、前記表層の厚さが厚いほど小さくなるように制御することを特徴とする画像形成装置。
【請求項２】
感光層と前記感光層より上に積層された光透過性の表層と、を備え、回転可能な感光体と、
前記感光体の表面の移動方向と略直交する主走査方向にレーザ光を走査して前記感光体の前記表面を露光し、前記感光体の前記表面上に潜像を形成する露光ユニットと、
画像データに基づいて前記露光ユニットを制御する制御部と、
を有し、
前記露光ユニットは、前記レーザ光を前記主走査方向に非一定の走査速度で、かつ前記感光体の回転軸と前記レーザ光とがなす非一定の入射角度で走査することにより、前記感光体の前記表面を露光し、
前記制御部は、前記画像データの前記主走査方向の画素数が、前記主走査方向における前記感光体の中央部に対し端部に近づくほど少なく、かつ、前記表層の厚さが厚いほど少なくなるように制御することを特徴とする画像形成装置。
【請求項３】
前記表層の厚さに関する情報を取得する取得部を有し、前記制御部は、前記取得部の取得結果に基づいて前記パルス幅を制御することを特徴とする請求項１に記載の画像形成装置。
【請求項４】
前記表層の厚さに関する情報を取得する取得部を有し、前記制御部は、前記取得部の取得結果に基づいて前記画像データの前記主走査方向の画素数を制御することを特徴とする請求項２に記載の画像形成装置。
【請求項５】
前記取得部は、前記感光体の使用量と相関する情報に基づいて前記表層の厚さに関する情報を取得することを特徴とする請求項３又は４に記載の画像形成装置。
【請求項６】
前記感光体を含むユニットが当該画像形成装置の装置本体に対して着脱可能であり、前記ユニットに前記表層の厚さに関する情報を記憶する記憶部が設けられていることを特徴とする請求項１乃至５のいずれか１項に記載の画像形成装置。
【請求項７】
前記記憶部には、前記感光体の新品時の前記表層の厚さに関する情報が記憶されていることを特徴とする請求項６に記載の画像形成装置。
【請求項８】
複数の前記感光体を有し、それぞれの前記感光体に形成された潜像に現像剤を供給して形成した現像剤像を重ね合わせることで画像形成することを特徴とする請求項１乃至５のいずれか１項に記載の画像形成装置。
【請求項９】
複数の前記感光体のそれぞれを含む複数のユニットが個別に当該画像形成装置の装置本体に対して着脱可能であり、複数の前記ユニットのそれぞれに当該ユニットが備える前記感光体の前記表層の厚さに関する情報を記憶する記憶部が設けられていることを特徴とする請求項８に記載の画像形成装置。
【請求項１０】
前記記憶部には、前記感光体の新品時の前記表層の厚さに関する情報が記憶されていることを特徴とする請求項９に記載の画像形成装置。
【請求項１１】
前記感光体は、前記入射角度が５８度以上７０度以下の領域を含むことを特徴とする請求項１乃至１０のいずれか１項に記載の画像形成装置。
【請求項１２】
前記入射角度は、前記主走査方向において前記感光体の中央部から端部に向かうにつれて小さくなることを特徴とする請求項１乃至１１のいずれか１項に記載の画像形成装置。
【請求項１３】
前記表層は、電荷輸送層であることを特徴とする請求項１乃至１２のいずれか１項に記載の画像形成装置。
【手続補正２】
【補正対象書類名】明細書
【補正対象項目名】０００９
【補正方法】変更
【補正の内容】
【０００９】
上記目的は本発明に係る画像形成装置にて達成される。要約すれば、本発明は、感光層と前記感光層より上に積層された光透過性の表層と、を備え、回転可能な感光体と、前記感光体の表面の移動方向と略直交する主走査方向にレーザ光を走査して前記感光体の前記表面を露光し、前記感光体の前記表面上に潜像を形成する露光ユニットと、画像データに基づいて前記露光ユニットの前記レーザ光の照射、非照射を切り替える画像信号のパルス幅を制御する制御部と、を有し、前記露光ユニットは、前記レーザ光を前記主走査方向に非一定の走査速度で、かつ前記感光体の回転軸と前記レーザ光とがなす非一定の入射角度で走査することにより、前記感光体の前記表面を露光し、前記制御部は、前記パルス幅が、前記主走査方向における前記感光体の中央部に対し端部に近づくほど小さく、かつ、前記表層の厚さが厚いほど小さくなるように制御することを特徴とする画像形成装置である。
【手続補正３】
【補正対象書類名】明細書
【補正対象項目名】００１０
【補正方法】変更
【補正の内容】
【００１０】
本発明の他の態様によると、感光層と前記感光層より上に積層された光透過性の表層と、を備え、回転可能な感光体と、前記感光体の表面の移動方向と略直交する主走査方向にレーザ光を走査して前記感光体の前記表面を露光し、前記感光体の前記表面上に潜像を形成する露光ユニットと、画像データに基づいて前記露光ユニットを制御する制御部と、を有し、前記露光ユニットは、前記レーザ光を前記主走査方向に非一定の走査速度で、かつ前記感光体の回転軸と前記レーザ光とがなす非一定の入射角度で走査することにより、前記感光体の前記表面を露光し、前記制御部は、前記画像データの前記主走査方向の画素数が、前記主走査方向における前記感光体の中央部に対し端部に近づくほど少なく、かつ、前記表層の厚さが厚いほど少なくなるように制御することを特徴とする画像形成装置が提供される。
【手続補正４】
【補正対象書類名】明細書
【補正対象項目名】００１５
【補正方法】変更
【補正の内容】
【００１５】
画像形成装置１は、回転可能なドラム型（円筒形）の感光体（電子写真感光体）である感光ドラム４を有する。感光ドラム４は、図中矢印Ｒ１方向に回転駆動される。回転する感光ドラム４の表面は、帯電手段としてのローラ型の帯電部材である帯電ローラ５によって、所定の極性（本実施例では負極性）の所定の電位に一様に帯電処理される。帯電処理された感光ドラム４の表面は、露光手段としての露光装置（露光ユニット）４００が発するレーザ光（走査光）４０８によって走査露光され、感光ドラム４上に潜像（静電潜像、静電像）が形成される。本実施例では、露光装置４００は、レーザ光（レーザビーム）を用いて感光ドラム４上に潜像を形成するレーザビームスキャナである。感光ドラム４上に形成された潜像は、現像手段としての現像装置６によって、現像剤としてのトナーＴが供給されて現像（可視化）され、感光ドラム４上にトナー像（現像剤像）が形成される。
【手続補正５】
【補正対象書類名】明細書
【補正対象項目名】００８８
【補正方法】変更
【補正の内容】
【００８８】
一方、上記本実施例における補正制御を行わない比較例では、色ずれが発生した。なお、比較例の画像形成装置１の構成は、上記本実施例における補正制御を行わないことを除いて本実施例の画像形成装置１と実質的に同じである。図１２は、比較例における色ずれを説明するための模式図である。図１２には、イエロー及びマゼンタの各色についての走査領域における−１００ｍｍ、０ｍｍ、１００ｍｍの位置での感光域の大きさと、中間転写ベルト１０上のイエロー色とマゼンタ色とが重ね合わせられた画像を模式的に示している。感光域の大きさは、走査領域における中央位置の０ｍｍから、走査領域の端部位置に近くなるほど大きくなる。また、感光ドラム４の膜厚が相対的に厚いシアン色では、感光ドラム４の膜厚が相対的に薄いイエロー色よりも感光域が大きくなる。その結果、各色の画像を中間転写ベルト１０上で重ね合わせた際に、感光域が相対的に小さいイエロー色に対する、感光域が相対的に大きいシアン色の色ずれが発生する。この色ずれは、主走査方向の端部側で発生するため、例えば副走査方向に長い縦線画像の重ね合わせなどでより顕著となる。